(57)【要約】本発明は、対応コネクタ（２）との電気的な差込み結合部を形成するためのワイヤハーネスコネクタ（１）であって、該ワイヤハーネスコネクタ（１）が、ハウジング（３）と、該ハウジング（３）から少なくとも部分的に突出した、複数のコンタクトエレメントを備えたコンタクトストリップ（４）と、電気的な差込み結合部をシールするためのシール部材（６）とから成っている形式のものに関する。本発明は、シール部材（６）が、ハウジング（３）とコンタクトストリップ（４）との間の移行部（５）の範囲に、少なくとも部分的に当該ワイヤハーネスコネクタ（１）を巡回するように配置されており、シール部材（６）の、対応コネクタ（２）に向けられたコンタクト面（８）が複数のウェブ（９）を有していることを特徴としている。これらのウェブ（９）はシール部材（６）の巡回方向に対して直角に形成されており、ただしシール部材（６）自体は少なくとも１つの中空室（１０）を有している。付加的な構成では、中空室（１０）が、たとえばショア硬度を高めるためにコア（１１）を備えて形成されていてよい。
2004534369.tif 000002
【特許請求の範囲】
【請求項１】
対応コネクタとの電気的な差込み結合部を形成するためのワイヤハーネスコネクタであって、該ワイヤハーネスコネクタが、ハウジングと、該ハウジングから少なくとも部分的に突出した、複数のコンタクトエレメントを備えたコンタクトストリップと、電気的な差込み結合部をシールするためのシール部材とから成っている形式のものにおいて、シール部材（６）が、ハウジング（３）とコンタクトストリップ（４）との間の移行部（５）の範囲に、少なくとも部分的に当該ワイヤハーネスコネクタ（１）を巡回するように配置されており、シール部材（６）の、対応コネクタに向けられたコンタクト面（８）が複数のウェブ（９）を有しており、該ウェブ（９）が、シール部材（６）の巡回方向に対して直角に形成されており、ただしシール部材（６）自体は少なくとも１つの中空室（１０）を有していることを特徴とする、対応コネクタとの電気的な差込み結合部を形成するためのワイヤハーネスコネクタ。
【請求項２】
各ウェブ（９）の上にそれぞれ１つの中空室（１０）が配置されている、請求項１記載のワイヤハーネスコネクタ。
【請求項３】
中空室（１０）がコア（１１）によって少なくとも部分的に満たされている、請求項１または２記載のワイヤハーネスコネクタ。
【請求項４】
コア（１１）がゴムから成っている、請求項１から３までのいずれか１項記載のワイヤハーネスコネクタ。
【請求項５】
シール部材（６）とコア（１１）とが、同一のショア値を有している、請求項３または４記載のワイヤハーネスコネクタ。
【請求項６】
シール部材（６）とコア（１１）とが、互いに異なるショア値を有している、請求項３または４記載のワイヤハーネスコネクタ。
【発明の詳細な説明】
【技術分野】
【０００１】
本発明は、対応コネクタとの電気的な差込み結合部を形成するためのワイヤハーネスコネクタ（Kabelbaumstecker）であって、該ワイヤハーネスコネクタが、ハウジングと、該ハウジングから少なくとも部分的に突出した、複数のコンタクトエレメントを備えたコンタクトストリップと、電気的な差込み結合部をシールするためのシール部材とから成っている形式のものに関する。
【０００２】
背景技術
このような形式のシール部材は、電気的な差込み結合部において、ワイヤハーネスコネクタと対応コネクタとの間の結合部をシールするために使用される。一般にこのためには、半径方向でシール作用を発揮するラジアルシール部材が使用される。このラジアルシール部材自体は良好なシール特性を有している。ワイヤハーネスコネクタと対応コネクタとの間に場合によっては生じる軸方向の遊びを補償できるようにするためには、ラジアルシール部材が付加的に軸方向で緊定されている。
【０００３】
背景技術の欠点
ラジアルシール部材の使用に基づき、電気的な差込み結合部を形成するためにワイヤハーネスコネクタに加えられるべき差込み力は極めて高くなる。さらに、ラジアルシール部材の使用に基づき、シール範囲の形成の点で、望ましくない制限が加えられてしまう。
【０００４】
発明の課題
本発明の課題は、背景技術の欠点を回避することのできる、電気的な差込み結合部のためのシール部材を提供することである。
【０００５】
課題を解決するための手段
上記課題は、シール部材が、ハウジングとコンタクトストリップとの間の移行部の範囲に、少なくとも部分的に当該ワイヤハーネスコネクタを巡回するように、つまり当該ワイヤハーネスコネクタを巡って延びるように配置されており、シール部材の、対応コネクタに向けられたコンタクト面が複数のウェブを有しており、該ウェブが、シール部材の巡回方向に対して直角に形成されており、ただしシール部材自体は少なくとも１つの中空室を有していることにより解決される。
【０００６】
発明の利点
シール部材自体は有利にはワイヤハーネスコネクタの全周を巡回するように配置されていて、対応コネクタにより形成された縁部と協働するコンタクト面を有している。この場合、コンタクト面はこの縁部に載着される。
【０００７】
公差あるいはまたワイヤハーネスコネクタと対応コネクタとの間の遊びが存在する場合、このことはシール部材により補償される。
【０００８】
さらに、シール部材のコンタクト面は複数のウェブを有しており、これらのウェブはシール部材の巡回方向に対して直角に延びていると有利である。これにより、前記縁部に対する面接触が回避される。このことは、公差が補償されるという利点をもたらす。なぜならば、差し込まれた状態でシール部材がダイヤフラム状に湾曲し、こうして外側の端部が対応コネクタの縁部を取り囲むからである。
【０００９】
シール部材の所要のショア硬度に関連して、シール部材に配置されている中空室はプラスチック材料あるいはゴム材料またはコアによって満たされている。
【００１０】
本発明のさらに別の有利な構成は、以下の実施例の説明、特許請求の範囲および図面より明らかとなる。
【００１１】
実施例の説明
図１には、ワイヤハーネスコネクタ１が対応コネクタ２と連結された状態が図示されている。ワイヤハーネスコネクタ１はハウジング３と、少なくとも部分的にハウジング３から突出したコンタクト条片もしくはコンタクトストリップ４とから成っている。コネクタが連結された状態では、コンタクトストリップ４が対応コネクタ２内にほぼ完全に導入されている。
【００１２】
ハウジング３とコンタクトストリップ４との間の移行部５の範囲には、シール部材６が配置されている。図１〜図４に示した実施例では、シール部材６がワイヤハーネスコネクタ１の周面を完全に巡回するように延びている。この場合、シール部材６は、コネクタが連結された状態では対応コネクタ２の外縁部７に載着されていて、こうして電気的な差込み結合部をシールしている。したがって、シール部材６は軸方向でシール作用を発揮するアキシャルシール部材（Axialdichtung）として形成されており、それゆえに対応コネクタ２の外縁部７と協働する接触面８を有している。組付けのためには、シール部材６をコンタクトストリップ４にワイヤハーネスコネクタ１のハウジング３へ向かって被せ嵌めることができる。
【００１３】
さらに、シール部材６の接触面８は複数のウェブ９を有している。これらのウェブ９はシール部材６の巡回方向に対して直角に延びている。これらのウェブ９の範囲ではシール部材６の内側にそれぞれ中空室１０が設けられている。
【００１４】
さらに図１に示した実施例では、半径方向でシール作用を発揮するラジアルシール部材（Radialdichtung）１２が配置されている。
【００１５】
図３および図４に示したように、対応コネクタ２の外縁部７へのシール部材６の載着により、シール部材６の接触面８がダイヤフラム状に湾曲するので、ワイヤハーネスコネクタ１のほぼ全ての連結位置において電気的な差込み結合部のシールが行われる。
【００１６】
これまで説明したシール部材６の実施例に対して択一的な別の実施例では、中空室１０の内部に、シール部材６と同一のショア硬度またはシール部材６とは異なるショア硬度を有するコア１１が配置されている。さらに図７に示したように、コア１１がシール部材６の中空室１０全体を占めているような構成も考えられる。
【００１７】
さらに、シール部材６と、中空室１０内に配置されたコア１１とが互いに異なるショア硬度を持って形成されているような構成も考えられる。
【図面の簡単な説明】
【００１８】
【図１】ワイヤハーネスコネクタを対応コネクタと共に部分的に断面して示す側面図である。
【００１９】
【図２】図１に示したワイヤハーネスコネクタを対応コネクタなしで示す正面図である。
【００２０】
【図３】図２に示したシール部材を、差し込まれていない状態で示す部分図である。
【００２１】
【図４】図２に示したシール部材を、差し込まれた状態で示す部分図である。
【００２２】
【図５】図２に示したシール部材の第２実施例を示す部分図である。
【００２３】
【図６】図５に示したシール部材をＶＩ−ＶＩ線に沿って断面した図である。
【００２４】
【図７】図２に示したシール部材の第３実施例を示す部分図である。
【国際公開パンフレット】
2004534369.tif 000003
2004534369.tif 000004
2004534369.tif 000005
2004534369.tif 000006
2004534369.tif 000007
2004534369.tif 000008
2004534369.tif 000009
2004534369.tif 000010
2004534369.tif 000011
2004534369.tif 000012
2004534369.tif 000013
【国際公開パンフレット（コレクトバージョン）】
2004534369.tif 000014
【国際調査報告】
2004534369.tif 000015
2004534369.tif 000016
2004534369.tif 000017
2004534369.tif 000018